(57)【特許請求の範囲】
【請求項１】
被検体の各々画素値を示す画素データを複数含む画像データを取得する画像データ取得部、
照合に用いる、複数の照合用情報を記憶している情報記憶部、
前記画像データ取得部で取得した前記画像データを、画素毎に画素データの数を示す分布データを生成する、分布データ生成部、
前記画像データ取得部で取得した前記画像データが、前記情報記憶部に記憶されている照合用情報と対応するか否かを照合する、照合処理部
を備え、
前記分布データ生成部は、
前記画像データ取得部で取得した前記画像データに階調変換処理を施して複数の画素データで構成され各画素が前記変換処理に応じた画素値を示す画素データを生成し、
当該生成した画素データを構成する各画素データの数を画素値毎に示す分布データを生成し、
前記照合処理部は、
前記画像データに階調処理およびスケルトン処理を施して被検用画像データを生成し、
前記分布データ内の所定の範囲の画素値について、当該画素値を示す前記画素データの数のピーク値をソートし、
前記ソートされたピーク値のうち、前記被検体について特定された前記ピーク値と最も近いピーク値を選択し、
当該選択したピーク値に対応して前記情報記憶部に記憶されている前記照合用情報と前記画像データとを用いて最初の照合を行う、
照合処理装置。
【請求項２】
前記照合処理部は、
前記ソートされたピーク値のうち、前記被検体について前記特定されたピーク値の第１のソート位置からの距離が近いソート位置から遠いソート位置に向けて、前記第１のソート位置の前後に位置する第２のソート位置を交互に選択し、
当該選択した第２のソート位置に前記ソートされた前記ピーク値に対応して前記情報記憶部に記憶されている前記照合用情報と前記被検体の画像データとの前記照合を順に行う
請求項１に記載の照合処理装置。
【請求項３】
前記照合処理部は、
前記ピーク値と、当該ピーク値に対応する前記情報記憶部の前記照合用情報の記憶アドレスとを対応付けて示す参照データを生成し、
当該参照データ内の前記ピーク値について前記ソートを行う
請求項２に記載の照合処理装置。
【請求項４】
当該照合処理装置は、前記照合用情報を前記情報記憶部に登録する時に、前記照合用情報を生成する、照合用データ生成手段をさらに有し、
当該照合用データ生成部は、前記被検体を前記画像データ取得部で撮像して得られた前記撮像データにスケルトン処理を施して前記照合用情報を生成する、
請求項１に記載の照合処理装置。
【請求項５】
被検体の各々画素値を示す画素データを複数含む画像データを取得する画像データ取得ステップと、
前記画像データ取得ステップで取得した前記画像データを、画素毎に画素データの数を示す分布データを生成する、分布データ生成ステップと、
前記画像データ取得ステップで取得した前記画像データが、記憶部に事前に記憶されている照合用情報と対応するか否かを照合する照合処理ステップと
を備え、
前記分布データ生成ステップにおいて、
前記画像データ取得ステップで取得した前記画像データに階調変換処理を施して複数の画素データで構成され各画素が前記変換処理に応じた画素値を示す画素データを生成し、
当該生成した画素データを構成する各画素データの数を画素値毎に示す分布データを生成し、
前記照合処理ステップにおいて、
前記画像データに階調処理およびスケルトン処理を施して被検用画像データを生成し、
前記分布データ内の所定の範囲の画素値について、当該画素値を示す前記画素データの数のピーク値をソートし、
前記ソートされたピーク値のうち、前記被検体について特定された前記ピーク値と最も近いピーク値を選択し、
当該選択したピーク値に対応して前記記憶部に記憶された前記照合用情報と前記画像データとを用いて最初の照合を行う、
照合処理方法。
【請求項６】
前記照合処理ステップにおいて、
前記ソートされたピーク値のうち、前記被検体について前記特定されたピーク値の第１のソート位置からの距離が近いソート位置から遠いソート位置に向けて、前記第１のソート位置の前後に位置する第２のソート位置を交互に選択し、
当該選択した第２のソート位置に前記ソートされた前記ピーク値に対応して前記情報記憶部に記憶されている前記照合用情報と前記被検体の画像データとの前記照合を順に行う、
請求項５に記載の照合処理方法。
【請求項７】
前記照合処理ステップにおいて、
前記ピーク値と、当該ピーク値に対応する前記照合用情報の前記記憶部の記憶アドレスとを対応付けて示す参照データを生成し、
当該参照データ内の前記ピーク値について前記ソートを行う
請求項６に記載の照合処理方法。
【発明の詳細な説明】
【技術分野】
【０００１】
本発明は、例えば、被検体を撮像して得られた画像データを処理する画像処理装置およびその方法に関するものである。
【背景技術】
【０００２】
従来、例えば、生体（被検体）を撮像して得られた画像データを用いて個人を照合（認証）する照合装置が知られている（例えば、特許文献１参照）。
上述した従来の照合装置では、例えば、複数の登録対象者のそれぞれについて、当該登録対象者の指（被検体）の指紋を撮像して撮像データを生成し、当該撮像データにスケルトン処理を施して照合または認証用の画像データを生成する。
そして、上記照合装置は、複数の登録対象者についての複数の上記照合用画像データをメモリに記憶し、照合（または認証）を行う場合に、当該複数の照合用または認証用の画像データを、例えば、登録順にメモリから読み出して被検用画像データ（被検体の画像データ）と比較して照合を行う。
【発明の開示】
【発明が解決しようとする課題】
【０００３】
しかしながら、上述した従来の照合装置では、メモリに記憶されている複数の照合用画像データを登録順に読み出して照合するため、被検者の照合用画像データが最後の方に登録されたものである場合に、照合に非常に時間を要するという問題がある。
【０００４】
本発明は、かかる事情に鑑みてなされたものであり、メモリ（記憶手段）に記憶された複数の照合用画像データを用いて照合を行う場合に、照合時間を短縮することを可能にする照合処理装置およびその方法を提供することを目的とする。
【課題を解決するための手段】
【０００５】
本発明によれば、被検体の各々画素値を示す画素データを複数含む画像データを取得する画像データ取得部、照合に用いる、複数の照合用情報を記憶している情報記憶部、前記画像データ取得部で取得した前記画像データを画素毎に画素データの数を示す分布データを生成する分布データ生成部、前記画像データ取得部で取得した前記画像データが前記記憶部に記憶されている照合用情報と対応するか否かを照合する照合処理部を備え、
前記分布データ生成部は、前記画像データ取得部で取得した前記画像データに階調変換処理を施して複数の画素データで構成され各画素が前記変換処理に応じた画素値を示す画素データを生成し、当該生成した画素データを構成する各画素データの数を画素値毎に示す分布データを生成し、
前記照合処理部は、前記画像データに階調処理およびスケルトン処理を施して被検用画像データを生成し、前記分布データ内の所定の範囲の画素値について、当該画素値を示す前記画素データの数のピーク値をソートし、前記ソートされたピーク値のうち、前記被検体について特定された前記ピーク値と最も近いピーク値を選択し、当該選択したピーク値に対応して前記情報記憶部に記憶されている前記照合用情報と前記画像データとを用いて最初の照合を行う、
照合処理装置が提供される。
【０００６】
好ましくは、前記照合処理部は、前記ソートされたピーク値のうち、前記被検体について前記特定されたピーク値の第１のソート位置からの距離が近いソート位置から遠いソート位置に向けて、前記第１のソート位置の前後に位置する第２のソート位置を交互に選択し、当該選択した第２のソート位置に前記ソートされた前記ピーク値に対応して前記情報記憶部に記憶されている前記照合用情報と前記被検体の画像データとの前記照合を順に行う。
また好ましくは、前記照合処理部は、前記ピーク値と、当該ピーク値に対応する前記照合用情報の記憶アドレスとを対応付けて示す参照データを生成し、当該参照データ内の前記ピーク値について前記ソートを行う。
また好ましくは、当該照合処理装置は、前記照合用情報を前記情報記憶部に登録する時に、前記照合用情報を生成する、照合用データ生成手段をさらに有し、当該照合用データ生成部は、前記被検体を前記画像データ取得部で撮像して得られた前記撮像データにスケルトン処理を施して前記照合用情報を生成する。
【０００７】
また本発明によれば、被検体の各々画素値を示す画素データを複数含む画像データを取得する画像データ取得ステップと、前記画像データ取得ステップで取得した前記画像データを、画素毎に画素データの数を示す分布データを生成する、分布データ生成ステップと、前記画像データ取得ステップで取得した前記画像データが、記憶部に事前に記憶されている照合用情報と対応するか否かを照合する照合処理ステップとを備え、
前記分布データ生成ステップにおいて、前記画像データ取得ステップで取得した前記画像データに階調変換処理を施して複数の画素データで構成され各画素が前記変換処理に応じた画素値を示す画素データを生成し、当該生成した画素データを構成する各画素データの数を画素値毎に示す分布データを生成し、
前記照合処理ステップにおいて、前記画像データに階調処理およびスケルトン処理を施して被検用画像データを生成し、前記分布データ内の所定の範囲の画素値について、当該画素値を示す前記画素データの数のピーク値をソートし、前記ソートされたピーク値のうち、前記被検体について特定された前記ピーク値と最も近いピーク値を選択し、当該選択したピーク値に対応して前記記憶部に記憶された前記照合用情報と前記画像データとを用いて最初の照合を行う、
照合処理方法が提供される。
【発明の効果】
【０００８】
本発明によれば、記憶部に記憶された複数の照合用被検体情報を用いて照合を行う場合に、照合時間を短縮することを可能にする照合処理装置およびその方法を提供することができる。
【発明を実施するための最良の形態】
【０００９】
先ず、本発明の構成と本実施形態の構成との対応関係を説明する。
図１および図９に示す分布データ生成部１５が本発明の分布デ−タ生成部に対応し、メモリ１６が情報記憶部に対応している。
また、照合部１７が図４に示すステップＳＴ２および図７に示すステップＳＴ１２の処理を実行することで、本発明のピーク特定部が実現される。
また、照合部１７が、図４に示すステップＳＴ５、あるいは図７に示すステップＳＴ１３〜ＳＴ１９の処理を実行することで、本発明の照合処理部が実現される。
【００１０】
＜第１実施形態＞
図１は、本発明の第１実施形態に係る照合システム（照合処理装置）１の構成図である。
図１に示すように、照合システム１は、例えば、撮像装置２および照合装置３を有する。
〔撮像装置２〕
図１に示すように、撮像装置２は、例えば、照射部１０、光学レンズ１２および撮像部１３を有する。
【００１１】
照射部１０は、例えば、ハロゲンランプ等より構成され、登録対象者１１および被検者２１の一部、例えば、手などの被検体に電磁波、例えば、近赤外線を照射する。
照射部１０は、後述する照合用被検体情報を情報記憶部に登録時に（記憶するときに）に、登録対象者１１に、例えば、近赤外線を照射する。
また、照射部１０は、後述する被検体の撮像データを照合用被検体情報に照合する時に、被検者２１の手に、例えば、近赤外線を照射する。
登録対象者１１および被検者２１は、例えば、生体であり、電磁波を照射した場合、波長領域６００ｎｍ〜１３００ｎｍ程度の赤色から赤外領域の近赤外線は、他の波長領域の電磁波と比較して透過性が高い。この波長領域では血中のヘモグロビンによる光吸収が支配的になる。
例えば、登録対象者１１および被検者２１の手の甲側から近赤外線を照射し、掌側から透過光を撮像した場合に、電磁波は血中のヘモグロビンにより吸収されるため、掌側表面近傍の太い血管に相当する領域が、血管に相当する領域以外の領域よりも暗い撮像データが得られる。
血管の静脈は、成長過程で形成される後天性のものであり、この血管の形状は個人差が大きい。本実施形態では、この血管を撮像して得られた画像データを個人特有の識別情報として照合（認証）に用いる。
【００１２】
光学レンズ１２は、登録対象者１１および被検者２１からの透過光を撮像部１３に結像する。
撮像部１３は、光学レンズ１２を介して結像された透過光を基に（透過光を受光して、受光した信号に応じた画像データを生成することにより）撮像データＩＭＧを生成する。
撮像部１３は、例えば、ＣＣＤ（Charge-coupled device ：電荷結合素子）型画像センサや、Ｃ−ＭＯＳ（Complementary metal-oxide semiconductor ）型画像センサである。  撮像データＩＭＧは、これらのセンサを構成する画素の画素データによって構成される。
各画素データは、それに対応する画素の結像結果に応じた画素値を示している。
【００１３】
〔照合装置３〕
図１に示すように、照合装置３は、例えば、照合・被検用データ生成部１４、分布データ生成部１５、メモリ１６および照合部１７を有する。
照合・被検用データ生成部１４は、照合用画像データＶＥＲをメモリ１６に登録する時に、撮像装置２から入力した撮像データＩＭＧにグレ−スケ−ル処理およびスケルトン処理を施して、照合用画像データＶＥＲを生成し、これを照合部１７に出力する。
また、照合・被検用データ生成部１４は、被検体の撮像データと照合用画像データＶＥＲとを照合する時に、撮像装置２から入力した撮像データＩＭＧにグレ−スケ−ル処理およびスケルトン処理を施して、被検用画像データＣＨＫを生成し、これを照合部１７に出力する。
上記照合用画像データＶＥＲの生成および上記被検用画像データＣＨＫの生成について、具体的には、照合・被検用データ生成部１４は、例えば、撮像データＩＭＧに２５６階調のグレースケール変換処理を施して画像データを生成する。次いで、照合・被検用データ生成部１４は、上記グレースケール変換処理後の画像データに、モジュロ関数を用いた縮退処理を施して、照合に有用なパターン、例えば、血管を示すパターンを細らせてパターン中央部分のみを抽出した照合用画像データＶＥＲおよび被検用画像データＣＨＫを生成する。
【００１４】
分布データ生成部１５は、例えば、撮像データＩＭＧに２５６階調のグレースケール変換処理を施し、複数の画素データで構成され、各画素データがグレースケール変換処理に応じた画素値を示す画像データを生成する。次いで、分布データ生成部１５は、当該画像データを構成する各画素データを基に（各画素データについて）、画素データの数を画素値毎に示す分布データＨＳＴを生成し、生成した分布データＨＳＴを照合部１７出力する。
分布データ生成部１５は、例えば、図２に示す撮像データＩＭＧ１，２のそれぞれに対して上記処理を施して、分布データＨＳＴ１，２をそれぞれ生成する。
なお、照合・被検用データ生成部１４および分布データ生成部１５の前段に、上記グレースケール変換処理を行うグレースケール変換回路を設け、当該グレースケール変換回路の出力を照合・被検用データ生成部１４および分布データ生成部１５で用いてもよい。
【００１５】
メモリ１６は、例えば、照合・被検用データ生成部１４が生成した照合用画像データＶＥＲをファイル形式で記憶する。
【００１６】
照合部１７は、照合用画像データＶＥＲのメモリ１６への登録（記憶）、並びに照合用画像データＶＥＲを用いた被検用画像データＣＨＫの照合を行う。
照合部１７は、例えば、図３に示す参照テーブルデータＲＴＢを保持する。
参照テーブルデータＲＴＢは、登録対象者の各々について、当該登録対象者を撮像して取得した照合用画像データＶＥＲのファイル名ＶＥＲ＿ＦＮと、ピーク値Ｐと、照合用画像データＶＥＲを書き込んだメモリ１６のアドレスＡＤＲとを対応付けて示す項目を有する。
ピーク値Ｐは、後述するように、分布データＨＳＴの画素値の所定の画素値範囲ＲＡＮＧＥ内における画素データの数のピーク（最大値）を示す。
これらの項目は、ピーク値Ｐを基に（を用いて）ソートされている。
図３に示す例では、参照テーブルデータＲＴＢは、６人の登録対象者ＰＳＮ１〜６のそれぞれに対応した６つの項目を有している。
【００１７】
照合部１７の動作を、以下の照合装置３の動作と関連付けて詳細に説明する。
登録時の動作：
図４は、照合用画像データＶＥＲを登録する時の照合装置３の動作を説明するためのフローチャートである。
照合部１７は、例えば、複数の登録対象者の各々を、登録対象者１１として以下の登録処理を行う。
ステップＳＴ１：
照合装置３の照合・被検用データ生成部１４および分布データ生成部１５は、撮像装置２で得られた登録対象者１１の撮像データＩＭＧを入力する。
そして、分布データ生成部１５は、撮像装置２から入力した撮像データＩＭＧに２５６階調のグレースケール変換処理を施した後に、上述した方法で分布データＨＳＴを生成し、これを照合部１７に出力する。
【００１８】
ステップＳＴ２：
照合部１７は、分布データ生成部１５から入力した分布データＨＳＴの図２に示す画素値範囲ＲＡＮＧＥ内で、画素データの数のピーク値Ｐを特定する。
【００１９】
ステップＳＴ３：
照合部１７は、照合・被検用データ生成部１４から入力した照合用画像データＶＥＲをファイル形式でメモリ１６に書き込む。
このとき、照合部１７は、当該ファイルにファイル名ＶＥＲ＿ＦＮを割り当てる。
【００２０】
ステップＳＴ４：
照合部１７は、ステップＳＴ３で割り当てたファイル名ＶＥＲ＿ＦＮと、ステップＳＴ２で特定したピーク値Ｐと、ステップＳＴ３で照合用画像データＶＥＲを書き込んだメモリ１６のアドレスＡＤＲとを対応付けて示す項目を参照テーブルデータＲＴＢに追加する。
例えば、照合部１７は、図３に示す登録対象者ＰＳＮ６の次の登録対象者ＰＳＮ７について、図５に示すように、ファイル名ＶＥＲ＿ＦＮ７と、ピーク値Ｐ７（＝１５００）と、アドレスＡＤＲ７とを対応付けて示す項目を、図３に示す参照テーブルデータＲＴＢの最後の項目として追加して参照テーブルデータＲＴＢを生成する。
【００２１】
ステップＳＴ５：
照合部１７は、ステップＳＴ４で生成した参照テーブルデータＲＴＢを、ピーク値Ｐを基に（ピーク値Ｐを参照して）ソートして図６に示すように更新する。
【００２２】
照合時の動作：
図７は、上記登録した照合用画像データＶＥＲと、被検体の撮像データとを照合する時の照合装置３の動作を説明するためのフローチャートである。
ステップＳＴ１１：
照合装置３の照合・被検用データ生成部１４および分布データ生成部１５は、撮像装置２で得られた被検者２１の撮像データＩＭＧを入力する。
そして、分布データ生成部１５は、撮像装置２から入力した撮像データＩＭＧに２５６階調のグレースケール変換処理を施した後に、上述した方法で分布データＨＳＴを生成し、これを照合部１７に出力する。
また、照合・被検用データ生成部１４は、撮像装置２から入力した撮像データＩＭＧにグレ−スケ−ル処理およびスケルトン処理を施して、被検用画像データＣＨＫを生成し、これを照合部１７に出力する。
【００２３】
ステップＳＴ１２：
照合部１７は、ステップＳＴ１１で分布データ生成部１５から入力した分布データＨＳＴの図２に示す画素値範囲ＲＡＮＧＥ内で、画素データの数のピーク値Ｐを特定する。
ステップＳＴ１３：
照合部１７は、図７に示す参照テーブルデータＲＴＢ内の項目のうち、ステップＳＴ１２で特定したピーク値Ｐに最も近いピーク値を持つ項目を検索して、対象となる登録対象者の項目を特定する。
例えば、照合部１７は、ステップＳＴ１２で特定したピーク値ＰがＰ＝１５１０である場合に、図８に示すように、参照テーブルデータＲＴＢ内の登録対象者ＰＳＮ７の項目を特定する。
【００２４】
ステップＳＴ１４：
照合部１７は、ステップＳＴ１３で特定した項目のアドレスＡＤＲを基にメモリ１６から照合用画像データＶＥＲを読み出す。
そして、照合部１７は、ステップＳＴ１１で生成された被検用画像データＣＨＫと、上記読み出した照合用画像データＶＥＲとを照合する（対比して比較する）。
ステップＳＴ１５：
照合部１７は、ステップＳＴ１４あるいは後述するステップＳＴ１９の比較で一致を示す場合に、ステップＳＴ１６に進み、そうでない場合にはステップＳＴ１７に進む。
ステップＳＴ１６：
照合部１７は、被検用画像データＣＨＫに対応する照合用画像データＶＥＲがメモリ１６に記憶されており、被検者２１が正当であると判断する。
ステップＳＴ１７：
照合部１７は、図７に示す参照テーブルデータＲＴＢ内の全ての項目の照合用画像データＶＥＲを用いて照合を行ったか否かを判断し、行ったと判断するとステップＳＴ１８に進み、そうでない場合にはステップＳＴ１９に進む。
【００２５】
ステップＳＴ１８：
照合部１７は、被検用画像データＣＨＫに対応する照合用画像データＶＥＲがメモリ１６に記憶されておらず、被検者２１が不当であると判断する。
ステップＳＴ１９：
照合部１７は、参照テーブルデータＲＴＢ内の前述した照合用画像データＶＥＲの登録時にソートされたピーク値のうち、ステップＳＴ１３で特定された項目（ピーク値）のソート位置（以下、第１のソートとも記す）からの距離が近いソート位置から遠いソート位置に向けて、上記第１のソート位置の前後に位置する項目、すなわちソート位置（以下、第２のソート位置とも記す）を当該ステップＳＴ１９の処理を行う度に交互に選択する。
例えば、照合部１７は、ステップＳＴ１３で特定したピーク値ＰがＰ＝１５１０である場合に、図８に示すように、登録対象者ＰＳＮ７の項目をステップＳＴ１３で特定し、続いて、登録対象者ＰＳＮ３，ＰＳＮ２，ＰＳＮ１，ＰＳＮ５，ＰＳＮ４，ＰＳＮ６の項目をステップＳＴ１９が行われる度に順に選択する。
そして、照合部１７は、上記選択した項目のアドレスＡＤＲを基に（アドレスＡＤＲで指定される）メモリ１６から照合用画像データＶＥＲを読み出す。
そして、照合部１７は、ステップＳＴ１１で生成された被検用画像データＣＨＫと、上記読み出した照合用画像データＶＥＲとを照合する（対比して比較する）。
なお、照合部１７は、図７に示す参照テーブルデータＲＴＢ内の未照合の項目のうち、ステップＳＴ１３で特定したピーク値Ｐに最も近いピーク値を持つ項目を検索して、それを特定してもよい。
【００２６】
以上説明したように、照合装置３では、図４を用いて説明したように、照合用画像データＶＥＲのファイルをメモリ１６に書き込む場合に、図６を用いて説明したようにピーク値Ｐを基にソートされた参照テーブルデータＲＴＢを作成する。
照合装置３では、図７を用いて説明したように、被検用画像データＣＨＫに対応して特定されたピーク値Ｐに最も近いピーク値を参照テーブルデータＲＴＢから特定し、当該特定したピーク値に対応する照合用画像データＶＥＲを用いて最初の照合を行う。次いで、当該特定したピーク値の前後のソート位置にあるピーク値に対応する照合用画像データＶＥＲを用いて照合を行う。
以上から、本実施の形態の照合装置３によれば、被検用画像データＣＨＫと近いピーク値に対応した照合用画像データＶＥＲを優先的に照合に用いることができ、被検者２１が正当な者である場合にステップＳＴ１５の比較で早い段階で一致を得ることができる。すなわち、本実施の形態の照合装置３によれば、従来のように照合用画像データＶＥＲを登録順に検索していく場合に比べて照合時間を短縮することができる。
【００２７】
＜第２実施形態＞
上述した第１実施形態では、図１に示すように、照合・被検用データ生成部１４が撮像部１３からの撮像データＩＭＧを基に（から）照合用画像データＶＥＲおよび被検用画像データＣＨＫを生成した場合を例示した。
第２実施形態の照合装置１０３は、図９に示すように、照合・被検用データ生成部１１４が、分布データ生成部１５からの分布データＨＳＴを基に（分布データＨＳＴを用いて）、照合用画像データＶＥＲおよび被検用画像データＣＨＫを生成する。
照合・被検用データ生成部１１４以外の構成は、第１実施形態と同じである。
【００２８】
照合・被検用データ生成部１１４は、例えば、分布データＨＳＴ内の第１の画素値範囲内で、予め決められた画素データの数を示す画素値を特定し、当該特定した画素値のなかで最大の画素値以下の第２の画素値範囲を特定する。
次に、照合・被検用データ生成部１１４は、上記特定した第２の画素値範囲内の分布データＨＳＴを上記第１の画素値範囲にマッピングして新たな分布データＨＳＴａを生成する。
次に、照合・被検用データ生成部１１４は、分布データＨＳＴａに所定のフィルタ処理を施して、画像データを生成する。
次に、照合・被検用データ生成部１１４は、上記画像データに対してスケルトン処理を施して照合用画像データＶＥＲおよび被検用画像データＣＨＫを生成する。
第２実施形態によっても、第１実施形態と同様の効果が得られる。
【００２９】
本発明は、上述した実施形態には限定されない。
上述した実施形態では、本発明の登録対象体および被検体として被検者の指を例示したが、被検者の指以外の体の一部であってもよい。
また、本発明の登録対象体および被検体は、生体でなくてもよい。
【産業上の利用可能性】
【００３０】
本発明は、例えば、被検体を撮像して得られた画像データを処理する画像処理システムに適用可能である。
【図面の簡単な説明】
【００３１】
【図１】図１は、本発明の第１実施形態に係わる照合システムの構成図である。
【図２】図２は、図１に示す分布データ生成部および照合部の処理を説明するための図である。
【図３】図３は、図１に示す参照テーブルデータを説明するための図である。
【図４】図４は、図１に示す照合装置の登録時の動作を説明するためのフローチャートである。
【図５】図５は、図１に示す照合部による参照テーブルデータの更新処理を説明するための図である。
【図６】図６は、図１に示す照合部による参照テーブルデータの更新処理を説明するための図である。
【図７】図７は、図１に示す照合装置の照合時の動作を説明するためのフローチャートである。
【図８】図８は、図１に示す照合部による参照テーブルデータの使用形態を説明するための図である。
【図９】図９は、本発明の第２実施形態に係わる照合システムの構成図である。
【符号の説明】
【００３２】
１，１０１…照合システム、２…撮像装置，３，１０３…照合装置、１０…照射部、１１…登録対象者、１２…光学レンズ、１３…撮像部、１４，１１４…照合・被検用データ生成部、１５…分布データ生成部、１６…メモリ、１７…照合部、ＶＥＲ…照合用画像データ，ＣＨＫ…被検用画像データ，ＨＳＴ…分布データ，ＲＴＢ…参照テーブルデータ
【図１】
0004407243.tif 000002
【図２】
0004407243.tif 000003
【図３】
0004407243.tif 000004
【図４】
0004407243.tif 000005
【図５】
0004407243.tif 000006
【図６】
0004407243.tif 000007
【図７】
0004407243.tif 000008
【図８】
0004407243.tif 000009
【図９】
0004407243.tif 000010